(57)【要約】【課題】簡単な構造で且つ装置自体は鏡に接触せず、且つ少量の温水で素早く曇りを除去できる鏡の曇り止め装置を提供する。【解決手段】本発明の曇り止め装置９は、温水Ｈを流下する扁平ノズル４０と、該流下された温水Ｈを鏡７の裏面へ誘導する整流板５０とを備えている。該扁平ノズル４０は、前後一対のノズル板からなり下端に左右に延びるスリット状開口を備えている。整流板５０は、扁平ノズル４０の下端の後側から下側へ延び、鏡７の上端部と基板６との隙間に該鏡７とは非接触の状態で入り込み且つ前方へ向かって屈曲又は彎曲し該鏡７の裏面に近接している。また、扁平ノズル４０の上端には、前面が略半筒面に形成された貯水ドラム３０が接続され、そのドラム内には、左右に延びる注水管２０が設けられている。そして、該注水管２０には、複数の注水孔２１が左右に間隔をおいて配設されている。【選択図】        図１
2007044076.tif 000002
【特許請求の範囲】
【請求項１】
前後一対のノズル板からなり下端に左右へ延びるスリット状開口を備えた、温水を流下する扁平ノズルと、後側の前記ノズル板の下端から下側へ延び、鏡の上端部と壁との隙間に該鏡とは非接触の状態で入り込み且つ前方へ向かって屈曲又は彎曲し該鏡の裏面に近接する整流板とを備えた鏡の曇り止め装置。
【請求項２】
前記扁平ノズルの上端に、前面が略半筒面に形成された貯水ドラムが接続された請求項１記載の鏡の曇り止め装置。
【請求項３】
前記貯水ドラム内に、左右に延びる注水管が設けられ、該注水管には複数の注水孔が左右に間隔をおいて配設された請求項２記載の鏡の曇り止め装置。
【請求項４】
前記貯水ドラムに、水蒸気及び過剰に貯溜された温水を抜くための抜き孔が形成された請求項２又は３記載の鏡の曇り止め装置。
【請求項５】
前記鏡の下端に、該下端から流下された温水を前記壁へ誘導する排水板を備えた請求項１〜４のいずれかに記載の鏡の曇り止め装置。
【請求項６】
前記スリット状開口のスリット間隔が０．１〜０．５ｍｍである請求項１〜５のいずれかに記載の鏡の曇り止め装置。
【発明の詳細な説明】
【技術分野】
【０００１】
本発明は、浴室等の鏡の結露による曇りを止める装置に関する。
【背景技術】
【０００２】
この種の装置としては、電熱線を鏡の裏側に取り付け、その電熱線からの熱によって鏡を暖め、曇りを除去するものがほとんどである。しかし、このような電熱線を利用したものは、水滴の浸入による漏電を防止する必要があるため、設置、メンテナンス等が大変である。そのため、中には、次の従来例１〜３に示す装置のように、電熱線の代わりに温水を利用する装置も提案されている。
【０００３】
図４（ａ）に示す従来例１（特許文献１）の装置は、鏡９１の上方に配されたパイプ９２の先から鏡９１の上部に温水Ｈをかけ、表面及び裏面を伝い流れ落ちる温水Ｈにより鏡９１の表面を暖め、曇りを除去するものである。また、図４（ｂ）に示す従来例２（特許文献２）の装置は、上方の湯受部９５に供給された温水Ｈが、鏡９３の裏側に配備された流通路９４を通り流れ落ちる間に、その熱で鏡９３を暖め、曇りを除去するものである。また、図４（ｃ）に示す従来例３（特許文献３）の装置は、シャワー等への配管９８を鏡９７の裏側に回し、該シャワー等に温水Ｈを供給する際に、その余熱で鏡９７を暖め、曇りを除去するものである。
【特許文献１】特開平８−１８７１４６公報
【特許文献２】特開平１０−３３３３２公報
【特許文献３】特開２００５−３４２５５公報
【発明の開示】
【発明が解決しようとする課題】
【０００４】
ところが、従来例１の場合、上方から温水Ｈをかけているだけなので、鏡９１の裏面及び表面に温水Ｈが均等に広がらない。そのため、大量に温水Ｈをかけない限り、鏡９１全体に熱がなかなか広がらず、曇りを素早く除去することができない。また、従来例２においては、鏡９３の裏側に流通路９４を配備する必要があるため、構造が複雑になってしまう。また、従来例３においても、鏡９７の裏側の壁にシャワー等への配管９８を回し、埋め込む必要があるため複雑且つ大掛りな構造となってしまう。また、従来例２、３においては、装置自体が鏡に接触しているため、鏡にストレスを与え、該鏡を歪め易くするおそれもある。
【０００５】
そこで、簡単な構造で且つ装置自体は鏡に接触せず、且つ少量の温水で素早く曇りを除去できる鏡の曇り止め装置を提供することを目的とする。
【課題を解決するための手段】
【０００６】
上記目的を達成するため、本発明の鏡の曇り止め装置は、前後一対のノズル板からなり下端に左右へ延びるスリット状開口を備えた、温水を流下する扁平ノズルと、後側の前記ノズル板の下端から下側へ延び、鏡の上端部と壁との隙間に該鏡とは非接触の状態で入り込み且つ前方へ向かって屈曲又は彎曲し該鏡の裏面に近接する整流板とを備えている。但し、ここで、前記壁とは、前記鏡に対向する壁面を備えたあらゆる部材のことをいい、例えば、浴室の壁に設置された基板等のことであってもよい。また、ここで、前とは壁の手前側のこといい、後とは壁側のことをいい、左及び右は、前から後を向いたときの方向をいうものとする。
【０００７】
前記鏡の曇り止め装置は、前記扁平ノズルの上端に、前記温水の供給基となる管等が直接接続されていてもよいが、前面が略半筒面に形成された貯水ドラムが接続されていることが好ましい。該貯水ドラムに温水を一旦貯溜することにより、温水を左右へ略均等に均すことができるからである。また、このような形状なのは、鏡を使用する際に頭等をぶつけても危なくないからである。
【０００８】
前記鏡の曇り止め装置は、前記貯水ドラム内に前記温水が一箇所のみから注水されてもよいが、前記貯水ドラム内に、左右に延びる注水管が設けられ、該注水管には複数の注水孔が左右に間隔をおいて配設されていることが好ましい。該複数の注水孔から分散して注水することによって、ドラム内で温水を素早く略均等に均すことができるからである。
【０００９】
また、前記鏡の曇り止め装置は、特に限定されないが、前記貯水ドラムに、水蒸気及び過剰に貯溜された温水を抜くための抜き孔が形成されていることが好ましい。水蒸気の蒸気圧や温水の水圧等により貯水ドラムが破裂するといった事態を回避できるからである。
【００１０】
また、前記鏡の曇り止め装置は、特に限定されないが、前記鏡の下端に、該下端から流下された温水を前記壁へ誘導する排水板を備えていることが好ましい。該下端から温水が飛び散らなくなるからである。
【００１１】
前記扁平ノズル、前記整流板、前記貯水ドラム、及び前記排水板の材質は、特に限定されないが、各種金属、各種樹脂、各種ゴム材等を例示する。
【００１２】
前記スリット状開口のスリット間隔は、特に限定されないが、０．１〜０．５ｍｍであることが好ましく、０．２〜０．４ｍｍであることがより好ましく、０．２５〜０．３５ｍｍであることが最も好ましい。小さ過ぎると温水の流下量が少なくなり過ぎる一方、大き過ぎると該流下量が多くなり過ぎるからである。
【００１３】
前記整流板の前記隙間に入り込む長さは、特に限定されないが、１５〜３０ｍｍであることが好ましく、２０〜２５ｍｍであることがより好ましい。小さ過ぎると温水が鏡の上端から表面側に飛び出てしまうおそれがある一方、大き過ぎると鏡の上端にまで熱が行き渡り難くなるからである。
【００１４】
前記注入孔の大きさは、特に限定されないが、直径が１〜３ｍｍであることが好ましく、１．５〜２．５ｍｍであることがより好ましい。小さ過ぎると、温水が該注水孔を通り抜ける際の抵抗で注水管内の水圧が高くなり過ぎる一方、大き過ぎると、温水が手前側の注水孔から順に偏って多く注水され、先端側の注水孔から注水されなくなるからである。また、前記注水孔の数は、特に限定されないが、３〜８個であることが好ましい。少な過ぎると、ドラム内で温水を素早く略均等に均し難くなる一方、多過ぎるのも設計等が困難になるからである。
【発明の効果】
【００１５】
本発明によれば、温水は、左右へ延びるスリット状開口から流下された後、鏡の裏面へ整流板によって誘導されるため、該温水は、左右へ略均等に広がった状態で該裏面に供給される。そのため、該温水が流れ落ちるのに従い、鏡が上から下へ、左右へ略均等に暖められていき、曇りが少量の温水でも素早く除去される。また、該装置は、このように温水を鏡の裏面に伝わすのみなので、鏡の裏側に流通路等を配備する必要もなく、構造が簡単である。また、該装置自体が鏡に接触しないため、該鏡にストレスを与え、歪ませるおそれもない。
【発明を実施するための最良の形態】
【００１６】
本発明の曇り止め装置９は、温水Ｈを流下する扁平ノズル４０と、該流下された温水Ｈを鏡７の裏面へ誘導する整流板５０とを備えている。該扁平ノズル４０は、前後一対のノズル板４０ａ、４０ｂからなり下端に左右に延びるスリット状開口４１を備えている。整流板５０は、後側のノズル板４０ａの下端から下側へ延び、鏡７の上端部と基板６との隙間ｇに該鏡７とは非接触の状態で入り込み且つ前方へ向かって屈曲又は彎曲し該鏡７の裏面に近接している。また、扁平ノズル４０の上端には、前面が略半筒面に形成された貯水ドラム３０が接続され、そのドラム内には、左右に延びる注水管２０が設けられている。そして、該注水管２０には、複数の注水孔２１が左右に間隔をおいて配設されている。
【実施例１】
【００１７】
本実施例の図１〜図３に示す鏡の曇り止め装置９は、浴室等に設置された鏡が曇った際にその曇りを除去するための装置であり、ここでは、長方形板状の鏡７をその対象としている。鏡７と曇り止め装置９とは、浴室の壁５に沿って設置された長方形板状の基板６に取り付けられており、このとき、鏡７は、基板６との間に隙間ｇをおいて、該基板６に取り付けられた鏡取付具８に支持されている。ここで、各部分の寸法は、鏡７の厚さが４〜１１ｍｍとなっており、鏡取付具７の前後への長さが７〜１３ｍｍとなっており、鏡７と基板６との隙間ｇが２〜６ｍｍとなっている。なお、本実施例１において、前とは、基板６の手前側のことをいい、後とは、該基板６側のこといい、左及び右は、前から後を向いたときの方向をいうものとする。
【００１８】
曇り止め装置９は、温水Ｈの供給基となる温水供給管１０と、該温水供給管１０の先端に接続された注水管２０と、該注水管２０から注水される温水Ｈを一旦貯溜する貯水ドラム３０と、該貯溜された温水Ｈを流下する扁平ノズル４０と、該流下した温水Ｈを鏡７の裏面へ誘導する整流板５０と、該鏡７の裏面を伝い流れ落ちた温水Ｈを基板６の表面へ誘導する排水板６０とを含み構成されている。
【００１９】
温水供給管１０は、温水Ｈを供給するための管であって、基端にはシャワー等への配管が接続されており、先端には注水管２０が連結管１４を介し接続されている。また、該温水供給管１０の途中部には、流量を調節する流量調節バルブ１１と、流路の開閉を行う開閉バルブ１２と、固形異物を捕捉するためのストレーナ１３とが取り付けられている。そして、このストレーナ１３の内部には、直径１〜３ｍｍのオリフィス孔を備えたオリフィス板が取り付けられている。
【００２０】
注水管２０は、温水供給管１０から供給された温水Ｈを貯水ドラム３０内に左右に分散して注水するための管であって、複数の注水孔２１が左右に間隔をおいて配設されている。この注水管２０は、鏡７の上方における基板６の前方に、貯水ドラム３０を左右へ貫通する形で設置された円筒状の管であって、一端には温水供給管１０が接続され、他端にはその開口を閉塞するプラグ２２が嵌められ、側部には円形の断面形状をした注水孔２１が５つ等間隔に貫設されている。この注水管２０の寸法は、その内径が７〜１３ｍｍとなっており、注水孔２１の断面の直径が１．５〜２．５ｍｍとなっている。
【００２１】
貯水ドラム３０は、注水管２０から注水された温水Ｈを一旦貯溜することによって該温水Ｈを左右へ均等に均すためのドラムであって、その下端には扁平ノズル４０の上端が接続され、その接続部には、該扁平ノズル４０の上端の開口に連通した供給口３１が形成されている。また、その他、該貯水ドラム３０には、水蒸気及び過剰に貯溜された温水Ｈを抜くための円形の断面形状をした抜き孔３２が形成されている。この貯水ドラム３０は、前面が半筒面の形状しており、Ｌ字型の形状をした複数の連結金具３３を介し基板６に連結されている。この貯水ドラム３０の寸法は、半筒面の形状をした断面の直径が５０〜１００ｍｍで、抜き孔３２の断面の直径が３〜５ｍｍとなっている。
【００２２】
扁平ノズル４０は、貯水ドラム３０内に貯溜された温水Ｈを左右へ広く略均等に流下させるためのノズルであって、上端に貯水ドラム３０が接続され、下端に左右に延びるスリット状開口４１が形成されている。この扁平ノズル４０は、前後一対のノズル板４０ａ、４０ｂからなり、左右両端には側壁部４０ｃ、４０ｄが形成されている。この扁平ノズル４０の寸法は、スリット状開口４１のスリット間隔ｗが０．２〜０．４ｍｍとなっている。
【００２３】
整流板５０は、スリット状開口４１から流下された温水Ｈを鏡７の裏面へ該鏡７には接触せずに誘導するための板であって、後側のノズル板４０ａの下端から下側へ延び鏡７の上端部と基板６との隙間ｇに入り込む垂下部５１と、該垂下部５１の先端から前方へ向かって屈曲し該鏡７の裏面に近接する屈曲部５２とから構成されている。該整流板５０の寸法は、鏡７と基板６との隙間ｇに入り込む長さＬが、２０〜２５ｍｍとなっている。そして、屈曲部５２の下端と鏡７の裏面との間の隙間が、１〜２ｍｍとなっている。
【００２４】
これら貯水ドラム３０と扁平ノズル４０と整流板５０とは、複数枚のステンレス板が折り曲げられ且つ溶接されることにより一体形成されており、基板６に沿って広がる背面板９ａと、該背面板９ａの上端から彎曲しながら下側へ延び注水管２０を前方から半円状に囲い込んだ後、更に屈曲して延び下端部が鉛直下向きにわずかに突出した曲面板９ｂと、左右両側の端面を構成する縦割りの略半円状の板であって下端に下方へわずかに突出した突起が形成された２枚の端面板９ｃ、９ｄとから構成されている。そして、これらの各板は、次の部分を構成している。すなわち、背面板９ａは、上部が、貯水ドラム３０の背面部を構成し、該貯水ドラム３０の下端より下方へ突出した下部が、後側のノズル板４０ａと整流板５０とを構成している。また、曲面板９ｂは、上部の彎曲した部分が、貯水ドラム３０の前面部を構成し、突出した下端部が、前側のノズル板４０ｂを構成している。また、両端面板９ｃ、９ｄは、縦割りの略半球状の部分が貯水ドラム３０の左右両側の端面を構成し、下端の突起が、扁平ノズル４０の側壁部４０ｃ、４０ｄを構成している。なお、これらステンレス板の寸法は、厚さが０．２〜０．４ｍｍとなっている。
【００２５】
排水板６０は、鏡７の下端から流下された温水Ｈを基板６の表面へ誘導するための板であって、鏡７の下端及びその付近を前方から覆う前壁部６１と、該前壁部６１の下端から後方へ屈曲し鏡７の下端を下方から覆う底部６２と、該底部６２の後側の端から屈曲し基板６と平行に該基板６との間に隙間ｓをおいて下方に延びる排出部６３とを含み構成されている。このとき、該隙間ｓは、排出部６３と基板６との間にスペーサ６４を挟み込んだ状態で、該排出部６３が該基板６にネジ６５で止着されることにより形成されている。このスペーサ６４は、リング状のゴムパッキンであって、その中心部は、ネジ６５を挿通させるための挿通孔となっている。排水板６０の材質は、アルミニウムであって、該排水板６０の寸法は、厚さが０．５〜１．５ｍｍで、底部６２の前後への長さが８〜１４ｍｍとなっている。そして、排出部６３と基板６との間の隙間ｓが、０．５〜１．５ｍｍとなっている。また、スペーサ６４の寸法は、外径が７〜１３ｍｍ、内径が３〜６ｍｍ、厚さが０．５〜１．５ｍｍとなっている。
【００２６】
以上に示した曇り止め装置９を、開閉バルブ１２を開き作動させた際の様子を以下に説明する。
（１）温水供給管１０から、注水管２０に温水Ｈが供給される。
（２）該供給された温水Ｈが、各注水孔２１から貯水ドラム３０内に注水される。
（３）該注水された温水Ｈが、貯水ドラム３０の底付近にまで流れ落ち、水平な湯溜まりとなったのち扁平ノズル４０から流下される。
（４）該流下された温水Ｈが、整流板５０を伝い鏡７の裏面に流れ込む。
（５）該流れ込んだ温水Ｈが、鏡７の裏面に沿って流れ落ち、その間に該温水Ｈの熱で鏡７が暖められ鏡７の表面の曇りが除去される。
（６）該流れ落ちた温水Ｈが、鏡７の下端から流下された後、排水板６０を伝い基板６の表面へ流れ込む。
（７）該流れ込んだ温水Ｈが、該基板６の表面を伝い流れ落ちる。
【００２７】
本実施例によれば、温水Ｈは、左右に延びるスリット状開口４１から流下された後、鏡７の裏面へ整流板５０によって誘導されるため、該温水Ｈは、左右へ略均等に広がった状態で該鏡７の裏面に供給される。そのため、該温水Ｈが流れ落ちるのに従い、鏡７が上から下へ、左右へ略均等に暖められていき、曇りが少量の温水Ｈでも素早く除去される。また、該装置は、このように温水Ｈを鏡７の裏面に伝わすのみなので、鏡７の裏側に流通路等を配備する必要もなく構造が簡単である。また、該装置自体が鏡７に接触しないため、鏡７にストレスを与え、鏡７を歪ませるおそれもない。
【００２８】
また、貯水ドラム３０は、前面が略半筒面の形状をしているため、鏡７を使用する際に、たとえ、誤って、頭等を該貯水ドラム３０にぶつけたとしても危なくない。また、該貯水ドラム３０は、抜き孔３２を備えているため、たとえ、温水Ｈが過剰供給されたとしても、その水圧や重み等により貯水ドラム３０が破裂するおそれはない。また、排水板６０があるため、鏡７の下端から流下された温水Ｈが飛び散ることがない。
【００２９】
なお、本発明は前記実施例に限定されるものではなく、発明の趣旨から逸脱しない範囲で適宜変更して具体化することもできる。
【図面の簡単な説明】
【００３０】
【図１】本発明の実施例の鏡の曇り止め装置を示す全体斜視図である。
【図２】同実施例の鏡の曇り止め装置の上部を示す部分断面図である。
【図３】同実施例の鏡の曇り止め装置を下部を示す部分断面図である。
【図４】（ａ）、（ｂ）は従来例１、２の装置を示す斜視図、（ｃ）は従来例３の装置を示す正面図である。
【符号の説明】
【００３１】
６    基板（壁）
７    鏡
９    曇り止め装置
２０    注水管
２１    注水孔
３０    貯水ドラム
３２    抜き孔
４０    扁平ノズル
４０ａ  ノズル板（後側）
４０ｂ  ノズル板（前側）
４１    スリット状開口
５０    整流板
６０    排水板
Ｈ    温水
ｇ    鏡の上端部と壁との隙間
ｗ    スリット間隔
【図１】
2007044076.tif 000003
【図２】
2007044076.tif 000004
【図３】
2007044076.tif 000005
【図４】
2007044076.tif 000006
【手続補正書】
【提出日】平成17年11月21日(2005.11.21)
【手続補正１】
【補正対象書類名】明細書
【補正対象項目名】００１７
【補正方法】変更
【補正の内容】
【００１７】
本実施例の図１〜図３に示す鏡の曇り止め装置９は、浴室等に設置された鏡が曇った際にその曇りを除去するための装置であり、ここでは、長方形板状の鏡７をその対象としている。鏡７と曇り止め装置９とは、浴室の壁５に沿って設置された長方形板状の基板６に取り付けられており、このとき、鏡７は、基板６との間に隙間ｇをおいて、該基板６に取り付けられた鏡取付具８に支持されている。ここで、各部分の寸法は、鏡７の厚さが４〜１１ｍｍとなっており、鏡取付具８の前後への長さが７〜１３ｍｍとなっており、鏡７と基板６との隙間ｇが２〜６ｍｍとなっている。なお、本実施例１において、前とは、基板６の手前側のことをいい、後とは、該基板６側のこといい、左及び右は、前から後を向いたときの方向をいうものとする。